(57)【要約】【課題】  電子マネー機能を有する携帯端末装置を利用する際に、第三者による電子マネーの悪用を確実に防止できるようにする。【解決手段】  携帯電話２のユーザが自身の撮影を行い、パスワードを認証サーバ３に送信する。認証サーバ３により認証が許可されると、携帯電話２は認証アプリケーションのみが利用可能なメモリにユーザの画像を記憶する。買い物の際には、認証アプリケーションが課金装置４を検知すると、メモリから画像を読み出して表示するとともに、インジケータを点灯する。店員は表示された画像と所持者が一致するか否かおよびインジケータが点灯しているか否かにより、携帯電話２の所持者が正規のユーザであるか否かを確認できる。【選択図】          図１
2006202014.tif 000002
【特許請求の範囲】
【請求項１】
電子マネー機能を有する携帯端末装置、該携帯端末装置のユーザの認証を行う認証装置および前記携帯端末装置を用いた課金を行う課金装置とを備えた携帯端末装置の認証システムであって、
前記携帯端末装置は、撮影により被写体の画像を取得する撮像手段と、
前記電子マネー情報の読み取りおよび書き込みを行う情報読み書き手段により前記電子マネー情報の読み取りおよび書き込みがなされる第１の記憶手段と、
各種通信を行う携帯端末用通信手段と、
ユーザによる各種指示の入力を受け付ける携帯端末用入力手段と、
各種表示を行う携帯端末用表示手段と、
所定のアプリケーションにのみアクセスが許可される第２の記憶手段と、
前記所定のアプリケーションにより前記情報読み書き手段を検知して警報を行う警報手段と、
前記所定のアプリケーションにしたがい、前記撮像手段による前記ユーザの撮影およびパスワードの入力を受け付け、前記パスワードを前記認証装置に送信し、該認証装置により認証が許可されると、前記画像を前記第２の記憶手段に記憶し、前記情報読み書き手段を検知した際に、前記第２の記憶手段に記憶された前記画像を前記表示手段に表示するとともに、前記警報手段による警報を行う携帯端末用制御手段とを備え、
前記認証装置は、各種通信を行う認証装置用通信手段と、
前記携帯端末装置から前記パスワードが送信されると、該パスワードによる該携帯端末装置の所持者の認証を行い、該認証結果を表す情報を前記携帯端末装置に送信する認証装置用制御手段とを備え、
前記課金装置は、各種情報の入力を行う課金装置用入力手段と、
前記携帯端末装置に対して前記電子マネー情報の読み取りおよび書き込みを行う情報読み書き手段と、
前記課金装置用入力手段から課金許可の入力がなされた場合にのみ、前記電子マネー情報に基づく課金を行う課金手段とを備えたことを特徴とする認証システム。
【請求項２】
請求項１記載の認証システムに用いられる携帯端末装置であって、
撮影により被写体の画像を取得する撮像手段と、
電子マネー情報の読み取りおよび書き込みを行う情報読み書き手段により前記電子マネー情報の読み取りおよび書き込みがなされる第１の記憶手段と、
各種通信を行う通信手段と、
ユーザによる各種指示の入力を受け付ける入力手段と、
各種表示を行う表示手段と、
所定のアプリケーションにのみアクセスが許可される第２の記憶手段と、
前記所定のアプリケーションにより前記情報読み書き手段を検知して警報を行う警報手段と、
前記所定のアプリケーションにしたがい、前記撮像手段による前記ユーザの撮影およびパスワードの入力を受け付け、前記パスワードを前記認証装置に送信し、該認証装置により認証が許可されると、前記画像を前記第２の記憶手段に記憶し、前記情報読み書き手段を検知した際に、前記第２の記憶手段に記憶された前記画像を前記表示手段に表示するとともに、前記警報手段による警報を行う制御手段とを備えたことを特徴とする携帯端末装置。
【請求項３】
前記制御手段は、前記画像を前記認証装置に送信し、該認証装置により該画像が所定の条件を満たすと判定された場合に該画像を前記第２の記憶手段に記憶する手段であることを特徴とする請求項２記載の携帯端末装置。
【請求項４】
前記制御手段は、前記画像を前記認証装置に送信し、該認証装置により所定の条件を満たすように加工された加工済み画像が送信されると、該加工済み画像を前記第２の記憶手段に記憶する手段であることを特徴とする請求項２または３記載の携帯端末装置。
【請求項５】
請求項１記載の認証システムに用いられる認証装置であって、
各種通信を行う通信手段と、
請求項２、３または４記載の携帯端末装置から前記パスワードが送信されると、該パスワードによる該携帯端末装置の所持者の認証を行い、該認証結果を表す情報を前記携帯端末装置に送信する制御手段とを備えたことを特徴とする認証装置。
【請求項６】
前記携帯端末装置から該携帯端末装置の所持者を撮影することにより取得された画像が送信された場合に、該画像が所定の第１の条件を満たすか否かを判定し、該判定結果を表す情報を前記携帯端末装置に送信する判定手段をさらに備えたことを特徴とする請求項５記載の認証装置。
【請求項７】
前記携帯端末装置から該携帯端末装置の所持者を撮影することにより取得された画像が送信された場合に、所定の第２の条件を満たすように前記画像を加工し、加工済みの画像を前記携帯端末装置に送信する加工手段をさらに備えたことを特徴とする請求項５記載の認証装置。
【請求項８】
請求項１記載の認証システムに用いられる課金装置であって、
各種情報の入力を行う入力手段と、
請求項２、３または４記載の携帯端末装置に対して前記電子マネー情報の読み取りおよび書き込みを行う情報読み書き手段と、
前記入力手段から課金許可の入力がなされた場合にのみ、前記電子マネー情報に基づく課金を行う課金手段とを備えたことを特徴とする課金装置。
【請求項９】
撮影により被写体の画像を取得する撮像手段と、
電子マネー情報の読み取りおよび書き込みを行う情報読み書き手段により前記電子マネー情報の読み取りおよび書き込みがなされる第１の記憶手段と、
各種通信を行う通信手段と、
ユーザによる各種指示の入力を受け付ける入力手段と、
各種表示を行う表示手段と、
所定のアプリケーションにのみアクセスが許可される第２の記憶手段と、
前記所定のアプリケーションにより前記情報読み書き手段を検知して警報を行う警報手段とを備え、請求項１記載の認証システムに用いられる携帯端末装置において行われる処理方法であって、
前記所定のアプリケーションにしたがい、前記撮像手段による前記ユーザの撮影およびパスワードの入力を受け付け、
前記パスワードを前記認証装置に送信し、
該認証装置により認証が許可されると、前記画像を前記第２の記憶手段に記憶し、
前記情報読み書き手段を検知した際に、前記第２の記憶手段に記憶された前記画像を前記表示手段に表示するとともに、前記警報手段による警報を行うことを特徴とする処理方法。
【請求項１０】
各種通信を行う通信手段を備えた、請求項１記載の認証システムに用いられる認証装置における認証方法であって、
請求項２、３または４記載の携帯端末装置から前記パスワードが送信されると、該パスワードによる該携帯端末装置の所持者の認証を行い、
該認証結果を表す情報を前記携帯端末装置に送信することを特徴とする認証方法。
【請求項１１】
各種情報の入力を行う入力手段と、
請求項２、３または４記載の携帯端末装置に対して前記電子マネー情報の読み取りおよび書き込みを行う情報読み書き手段とを備えた、請求項１記載の認証システムに用いられる課金装置における課金方法であって、
前記入力手段から課金許可の入力がなされた場合にのみ、前記電子マネー情報に基づく課金を行うことを特徴とする課金方法。
【請求項１２】
撮影により被写体の画像を取得する撮像手段と、
電子マネー情報の読み取りおよび書き込みを行う情報読み書き手段により前記電子マネー情報の読み取りおよび書き込みがなされる第１の記憶手段と、
各種通信を行う通信手段と、
ユーザによる各種指示の入力を受け付ける入力手段と、
各種表示を行う表示手段と、
所定のアプリケーションにのみアクセスが許可される第２の記憶手段と、
前記所定のアプリケーションにより前記情報読み書き手段を検知して警報を行う警報手段とを備え、請求項１記載の認証システムに用いられる携帯端末装置において行われる処理方法をコンピュータに実行させるためのプログラムであって、
前記所定のアプリケーションにしたがい、前記撮像手段による前記ユーザの撮影およびパスワードの入力を受け付ける手順と、
前記パスワードを前記認証装置に送信する手順と、
該認証装置により認証が許可されると、前記画像を前記第２の記憶手段に記憶する手順と、
前記情報読み書き手段を検知した際に、前記第２の記憶手段に記憶された前記画像を前記表示手段に表示するとともに、前記警報手段による警報を行う手順とを有することを特徴とするプログラム。
【請求項１３】
各種通信を行う通信手段を備えた、請求項１記載の認証システムに用いられる認証装置における認証方法をコンピュータに実行させるためのプログラムであって、
請求項２、３または４記載の携帯端末装置から前記パスワードが送信されると、該パスワードによる該携帯端末装置の所持者の認証を行う手順と、
該認証結果を表す情報を前記携帯端末装置に送信する手順とを有することを特徴とするプログラム。
【請求項１４】
各種情報の入力を行う入力手段と、
請求項２、３または４記載の携帯端末装置に対して前記電子マネー情報の読み取りおよび書き込みを行う情報読み書き手段とを備えた、請求項１記載の認証システムに用いられる課金装置における課金方法をコンピュータに実行させるためのプログラムであって、
前記入力手段から課金許可の入力がなされた場合にのみ、前記電子マネー情報に基づく課金を行う手順を有することを特徴とするプログラム。
【発明の詳細な説明】
【技術分野】
【０００１】
本発明は電子マネー機能を有する携帯端末装置、携帯端末装置の認証装置、課金装置、これらを用いた認証システム、携帯端末装置における処理方法、認証装置における認証方法、課金装置における課金方法並びにこれらの方法をコンピュータに実行させるためのプログラムに関するものである。
【背景技術】
【０００２】
近年、偽造に対するセキュリティが高く、オフライン取引も可能な電子マネーシステムが開発されている。この電子マネーシステムとは、電子マネー（流通されている通貨と同等の価値のある電子的な金銭）の情報をＩＣカード（電子マネーカードとも言う）内のＩＣチップに記憶し、電子マネー情報を転移することで決済を行うシステムのことである。
【０００３】
また、携帯電話に電子マネー情報を記憶したＩＣチップを設け、携帯電話に電子マネー機能を持たせて携帯電話を財布のように用いて決済を行うシステムも提案されている。このように常時携帯する携帯電話に電子マネー情報を記憶することにより、財布を忘れてしまった場合にも現金を用いることなく買い物を行うことが可能である。
【０００４】
その一方で、携帯電話を紛失したり、携帯電話が盗難されたりすると、電子マネー情報も同時に紛失あるいは盗難されることとなってしまうため、悪意のある第三者により電子マネーが利用されてしまうおそれがある。したがって、ユーザとしては電子マネー機能を有する携帯電話を利用することに積極的になれないのが現状である。
【０００５】
このため、ユーザ認証用の認証サーバに携帯電話の所持者の顔画像を保存しておき、携帯電話を用いての本人確認時に、認証サーバから携帯電話の所持者の顔画像を取得して携帯電話に表示することにより、携帯電話の正規ユーザを確認できるようにしたシステムが提案されている（特許文献１参照）。このシステムによれば、店員は携帯電話の正規のユーザの確認を行うことができるため、電子マネー機能を有する携帯電話の使用時にこのシステムを用いることにより、第三者による電子マネーの悪用を防止することができる。
【特許文献１】特開２００２−９５０４２号公報
【発明の開示】
【発明が解決しようとする課題】
【０００６】
しかしながら、特許文献１に記載されたシステムにおいては、第三者が通信を行うふりをして自身の写真を携帯電話に表示してしまうと、携帯電話の所持者と電子マネーの利用者とが一致することから、第三者に電子マネーが利用されてしまうおそれがある。また、確認時に通信を行う必要があるため、電波が通じない場所や通信障害が起こっている場合には、特許文献１記載のシステムは利用できない。
【０００７】
本発明は、上記事情に鑑みなされたものであり、第三者による電子マネーの悪用を確実に防止できるようにすることを目的とする。
【課題を解決するための手段】
【０００８】
本発明による認証システムは、電子マネー機能を有する携帯端末装置、該携帯端末装置のユーザの認証を行う認証装置および前記携帯端末装置を用いた課金を行う課金装置とを備えた携帯端末装置の認証システムであって、
前記携帯端末装置は、撮影により被写体の画像を取得する撮像手段と、
前記電子マネー情報の読み取りおよび書き込みを行う情報読み書き手段により前記電子マネー情報の読み取りおよび書き込みがなされる第１の記憶手段と、
各種通信を行う携帯端末用通信手段と、
ユーザによる各種指示の入力を受け付ける携帯端末用入力手段と、
各種表示を行う携帯端末用表示手段と、
所定のアプリケーションにのみアクセスが許可される第２の記憶手段と、
前記所定のアプリケーションにより前記情報読み書き手段を検知して警報を行う警報手段と、
前記所定のアプリケーションにしたがい、前記撮像手段による前記ユーザの撮影およびパスワードの入力を受け付け、前記パスワードを前記認証装置に送信し、該認証装置により認証が許可されると、前記画像を前記第２の記憶手段に記憶し、前記情報読み書き手段を検知した際に、前記第２の記憶手段に記憶された前記画像を前記表示手段に表示するとともに、前記警報手段による警報を行う携帯端末用制御手段とを備え、
前記認証装置は、各種通信を行う認証装置用通信手段と、
前記携帯端末装置から前記パスワードが送信されると、該パスワードによる該携帯端末装置の所持者の認証を行い、該認証結果を表す情報を前記携帯端末装置に送信する認証装置用制御手段とを備え、
前記課金装置は、各種情報の入力を行う課金装置用入力手段と、
前記携帯端末装置に対して前記電子マネー情報の読み取りおよび書き込みを行う情報読み書き手段と、
前記課金装置用入力手段から課金許可の入力がなされた場合にのみ、前記電子マネー情報に基づく課金を行う課金手段とを備えたことを特徴とするものである。
【０００９】
本発明による携帯端末装置は、本発明の認証システムに用いられる携帯端末装置であって、
撮影により被写体の画像を取得する撮像手段と、
電子マネー情報の読み取りおよび書き込みを行う情報読み書き手段により前記電子マネー情報の読み取りおよび書き込みがなされる第１の記憶手段と、
各種通信を行う通信手段と、
ユーザによる各種指示の入力を受け付ける入力手段と、
各種表示を行う表示手段と、
所定のアプリケーションにのみアクセスが許可される第２の記憶手段と、
前記所定のアプリケーションにより前記情報読み書き手段を検知して警報を行う警報手段と、
前記所定のアプリケーションにしたがい、前記撮像手段による前記ユーザの撮影およびパスワードの入力を受け付け、前記パスワードを前記認証装置に送信し、該認証装置により認証が許可されると、前記画像を前記第２の記憶手段に記憶し、前記情報読み書き手段を検知した際に、前記第２の記憶手段に記憶された前記画像を前記表示手段に表示するとともに、前記警報手段による警報を行う制御手段とを備えたことを特徴とするものである。
【００１０】
なお、本発明による携帯端末装置においては、前記制御手段を、前記画像を前記認証装置に送信し、該認証装置により該画像が所定の条件を満たすと判定された場合に該画像を前記第２の記憶手段に記憶する手段としてもよい。
【００１１】
また、本発明による携帯端末装置においては、前記制御手段を、前記画像を前記認証装置に送信し、該認証装置により所定の条件を満たすように加工された加工済み画像が送信されると、該加工済み画像を前記第２の記憶手段に記憶する手段としてもよい。
【００１２】
本発明による認証装置は、本発明の認証システムに用いられる認証装置であって、
各種通信を行う通信手段と、
本発明の携帯端末装置から前記パスワードが送信されると、該パスワードによる該携帯端末装置の所持者の認証を行い、該認証結果を表す情報を前記携帯端末装置に送信する制御手段とを備えたことを特徴とするものである。
【００１３】
なお、本発明による認証装置においては、前記携帯端末装置から該携帯端末装置の所持者を撮影することにより取得された画像が送信された場合に、該画像が所定の第１の条件を満たすか否かを判定し、該判定結果を表す情報を前記携帯端末装置に送信する判定手段をさらに備えるようにしてもよい。
【００１４】
また、本発明による認証装置においては、前記携帯端末装置から該携帯端末装置の所持者を撮影することにより取得された画像が送信された場合に、所定の第２の条件を満たすように前記画像を加工し、加工済みの画像を前記携帯端末装置に送信する加工手段をさらに備えるようにしてもよい。
【００１５】
本発明による課金装置は、本発明の認証システムに用いられる課金装置であって、
各種情報の入力を行う入力手段と、
本発明の携帯端末装置に対して前記電子マネー情報の読み取りおよび書き込みを行う情報読み書き手段と、
前記入力手段から課金許可の入力がなされた場合にのみ、前記電子マネー情報に基づく課金を行う課金手段とを備えたことを特徴とするものである。
【００１６】
本発明による携帯端末装置において行われる処理方法は、撮影により被写体の画像を取得する撮像手段と、
電子マネー情報の読み取りおよび書き込みを行う情報読み書き手段により前記電子マネー情報の読み取りおよび書き込みがなされる第１の記憶手段と、
各種通信を行う通信手段と、
ユーザによる各種指示の入力を受け付ける入力手段と、
各種表示を行う表示手段と、
所定のアプリケーションにのみアクセスが許可される第２の記憶手段と、
前記所定のアプリケーションにより前記情報読み書き手段を検知して警報を行う警報手段とを備え、本発明の認証システムに用いられる携帯端末装置において行われる処理方法であって、
前記所定のアプリケーションにしたがい、前記撮像手段による前記ユーザの撮影およびパスワードの入力を受け付け、
前記パスワードを前記認証装置に送信し、
該認証装置により認証が許可されると、前記画像を前記第２の記憶手段に記憶し、
前記情報読み書き手段を検知した際に、前記第２の記憶手段に記憶された前記画像を前記表示手段に表示するとともに、前記警報手段による警報を行うことを特徴とするものである。
【００１７】
本発明による認証方法は、各種通信を行う通信手段を備えた、本発明の認証システムに用いられる認証装置における認証方法であって、
本発明の携帯端末装置から前記パスワードが送信されると、該パスワードによる該携帯端末装置の所持者の認証を行い、
該認証結果を表す情報を前記携帯端末装置に送信することを特徴とするものである。
【００１８】
本発明による課金方法は、各種情報の入力を行う入力手段と、
本発明の携帯端末装置に対して前記電子マネー情報の読み取りおよび書き込みを行う情報読み書き手段とを備えた、本発明の認証システムに用いられる課金装置における課金方法であって、
前記入力手段から課金許可の入力がなされた場合にのみ、前記電子マネー情報に基づく課金を行うことを特徴とするものである。
【００１９】
なお、本発明による処理方法、認証方法および課金方法をコンピュータに実行させるためのプログラムとして提供してもよい。
【発明の効果】
【００２０】
本発明によれば、携帯端末装置が所定のアプリケーションにしたがって、ユーザの撮影を行って画像を取得するとともにパスワードの入力を受け付け、パスワードを認証装置に送信する。認証装置はパスワードにより携帯電話のユーザが正規のユーザであるか否かの認証を行い、認証結果を表す情報を携帯端末装置に送信する。認証が許可されると、携帯端末装置は、所定のアプリケーションにしたがって画像を第２の記憶手段に記憶する。
【００２１】
一方、課金装置が設置された店で携帯端末装置のユーザが買い物を行う場合には、携帯端末装置が所定のアプリケーションにしたがって情報読み書き手段を検知すると、第２の記憶手段に記憶された画像を表示手段に表示するとともに、警報手段による警報を行う。店員は表示手段に表示された画像および警報手段の双方がそろうことにより、携帯端末装置のユーザが正規のユーザであるか否かを確認できる。そして確認ができると、店員は課金装置用入力手段から課金許可の入力を行い、これにより、携帯端末装置の電子マネー情報に基づく課金を行う。
【００２２】
このように本発明においては、携帯端末装置の正規のユーザの画像を、専用のアプリケーションのみがアクセス可能な第２の記憶手段に記憶するようにし、課金時には専用のアプリケーションにしたがって第２の記憶手段に記憶された画像を表示するとともに、専用のアプリケーションにしたがって警報を行うようにしたため、課金装置を操作する者（例えば店員）は、表示手段に表示された画像と携帯端末装置の所持者とが一致し、かつ警報手段が警報を行っている場合にのみ、携帯端末装置の所持者が正規のユーザであると確認することができる。したがって、撮影した画像を単に表示したり、ｉアプリ（登録商標）等の所定のアプリケーション以外のアプリケーションにより画像を表示手段に表示するのみでは警報手段が警報を発しないこととなり、その結果、第三者が正規ユーザになりすまして電子マネーを使用することを防止することができる。
【００２３】
また、携帯端末装置から認証装置に画像を送信し、認証装置において画像が所定の条件を満たすか否かを判定し、判定結果を表す情報を携帯端末装置に送信することにより、認証用の画像として所定の第１の条件を満たさない不適切な画像が第２の記憶手段に記憶されてしまい、課金処理時における正規ユーザの確認の際に利用されてしまうことを防止することができる。
【００２４】
また、携帯端末装置から認証装置に画像を送信し、認証装置において画像が所定の条件を満たすように画像を加工し、加工済みの画像を携帯端末装置に送信することにより、認証用の画像として所定の第２の条件を満たさない不適切な画像が第２の記憶手段に記憶されてしまい、課金処理時における正規ユーザの確認の際に利用されてしまうことを防止することができる。
【発明を実施するための最良の形態】
【００２５】
以下、図面を参照して本発明の実施形態について説明する。図１は本発明の実施形態による認証システムの概要を示す図である。図１に示すように本実施形態による認証システム１は、電子マネー機能を有する携帯電話２と、携帯電話２のユーザの認証を行う認証サーバ３と、携帯電話２の電子マネー機能を用いて課金を行う、店頭に設置された課金装置４とを備える。
【００２６】
認証サーバ３はインターネットを介して携帯電話２と通信を行い、課金装置４は後述するように携帯電話２に設けられたＩＣチップと非接触により通信を行うものである。
【００２７】
図２は携帯電話の構成を示す概略ブロック図である。図２に示すように携帯電話２は、撮影により画像を表す画像データを取得する撮像部１１、画像データやメニュー等の各種表示を行う液晶モニタ１３、インターネットを経由しての電子メールの送受信や、画像データ、音楽データ、アプリケーション等の各種情報の送受信を行う通信部１５、携帯電話通信網を介しての通話を行う通話部１７、撮影により取得した画像データ、電子メールにより受信した画像データ、ダウンロードした各種情報、携帯電話２の各種設定情報、後述する認証のための認証アプリケーションおよび携帯電話２を制御するためのアプリケーションを記憶する内部メモリ１９、各種入力を行うためのテンキーおよび十字キー等からなる入力部２１、電子マネー情報を記憶するＩＣチップ２３、後述する課金処理時に認証アプリケーションにより点灯するインジケータ２５、並びに撮像部１１、液晶モニタ１３、通信部１５、通話部１７、ＩＣチップ２３およびインジケータ２５を制御する制御部２７を備えてなる。
【００２８】
なお、内部メモリ１９は、画像データ等を記憶する領域、携帯電話２の各種設定情報を記憶する領域および認証のための認証アプリケーションのみがアクセス可能な領域（以下特定領域とする）を有する。
【００２９】
また、制御部２７は認証アプリケーションにより、認証サーバ３および課金装置４と後述するような処理を行う。
【００３０】
図３は認証サーバの構成を示す概略ブロック図である。図３に示すように認証サーバ３は、インターネットを経由しての通信を行う通信部３１、携帯電話２のユーザを認証するためのデータベース等の各種情報および認証サーバ３を制御するためのアプリケーションを記憶するハードディスク等からなるメモリ３３、携帯電話２が送信した顔画像が認証用画像としてふさわしい所定の条件を満たすか否かを判定する判定部３５、顔画像が認証用画像としてふさわしい所定の条件を満たすように加工する加工部３７、並びに通信部３１、メモリ３３、判定部３５および加工部３７を制御するための制御部３９を備える。
【００３１】
判定部３５は、携帯電話２が送信した顔画像について、（１）顔を確認できる程度に顔が明るく写っている、（２）顔の領域が十分な解像度で写っている、（３）顔が正面を向いている、（４）顔が画像の中心にある、および（５）目を閉じていないという５つのすべての条件を満たすか否かについて判定を行う。なお、判定部３５の判定結果は携帯電話２に送信される。
【００３２】
加工部３７は、携帯電話２が送信した顔画像について、所望とする明るさとなるように顔画像に対して画像処理を施したり、顔が画像の中心に位置するように顔画像から顔領域を切り出す画像の加工を行う。なお、加工済みの画像は携帯電話２に送信される。ここで、加工部３７が行う処理は、判定部３５における（１）および／または（４）の条件を満たさない場合にのみ行われる。
【００３３】
図４は課金装置の構成を示す概略ブロック図である。図４に示すように課金装置４は店頭に設置されたレジを構成するものであり、金額の表示等を行う表示部４１、金額の入力等の各種入力を行うテンキー等の入力部４３、携帯電話２のＩＣチップ２３に対して電子マネー情報の読み書きを行う情報読み書き部４５、課金装置４を制御するためのアプリケーションを含む各種情報を記憶するメモリ４７、並びに表示部４１および情報読み書き部４５を制御する制御部４９を備える。
【００３４】
情報読み書き部４５は、携帯電話２がかざされることにより、非接触によりＩＣチップ２３に対して電子マネー情報の読み書きを行う。
【００３５】
次いで、本実施形態において行われる処理について説明する。まず、携帯電話２のユーザの画像を登録する際に行われる処理について説明する。
【００３６】
図５は顔画像登録時に行われる処理を示すフローチャートである。まず、携帯電話２のユーザが認証アプリケーションを起動することにより処理が開始され、制御部２７がユーザの顔画像の撮影の指示を液晶モニタ１３に表示する（ステップＳＴ１）。ユーザが顔画像の撮影を終えると、撮影により取得した顔画像を内部メモリ１９に一時的に記憶し、パスワード入力の指示を液晶モニタ１３に表示する（ステップＳＴ２）。そして、ユーザがパスワードの入力および送信の指示を行うと、制御部２７はパスワードを認証サーバ３に送信する（ステップＳＴ３）。
【００３７】
認証サーバ３は、送信されたパスワードによりユーザが正規のユーザであるか否かの認証を行う（ステップＳＴ４）。そして認証結果を携帯電話２に送信する（ステップＳＴ５）。
【００３８】
携帯電話２の制御部２７は認証が許可されたか否かを判定し（ステップＳＴ６）、ステップＳＴ６が否定されるとエラーメッセージを液晶モニタ１３に表示し（ステップＳＴ７）、処理を終了する。ステップＳＴ６が肯定されると、顔画像を認証サーバ３に送信する（ステップＳＴ８）。
【００３９】
認証サーバ３の判定部３５は、送信された顔画像が上記（１）〜（５）のすべての条件を満たすか否かを判定する（ステップＳＴ９）。ステップＳＴ９が否定されると、送信された顔画像が上記（１）および／または（４）の条件を満たさないものであるか否かを判定する（ステップＳＴ１０）。ステップＳＴ１０が肯定されると、加工部３７が顔画像を加工して加工済み顔画像を取得し（ステップＳＴ１１）、加工済み顔画像を携帯電話２に送信する（ステップＳＴ１２）。
【００４０】
携帯電話２の制御部２７は、加工済み顔画像を内部メモリ１９の特定領域に記憶し（ステップＳＴ１３）、処理を終了する。
【００４１】
ステップＳＴ９が肯定された場合、顔画像が上記（１）から（５）のすべての条件を満たす旨の情報を携帯電話２に送信する（ステップＳＴ１４）。携帯電話２の制御部２７は、顔画像を内部メモリ１９の特定領域に記憶し（ステップＳＴ１５）、処理を終了する。
【００４２】
また、ステップＳＴ１０が否定された場合、顔画像が上記（１）から（５）のすべての条件を満たさない旨の情報を携帯電話２に送信する（ステップＳＴ１６）。制御部２７は、ステップＳＴ７に進んでエラーメッセージを液晶モニタ１３に表示し、処理を終了する。この場合、ユーザは上記（１）から（５）のすべての条件を満たすように顔の撮影をやり直すこととなる。
【００４３】
次いで、携帯電話２のユーザが買い物を行う際に行われる課金処理について説明する。図６は課金処理時に行われる処理を示すフローチャートである。買い物をする際に、携帯電話２のユーザが課金装置４の情報読み書き部４５に携帯電話２をかざすことにより、認証アプリケーションに基づいて制御部２７が処理を開始し、内部メモリ１９の特定領域に記憶された顔画像（加工済み顔画像を含む）を液晶モニタ１３に表示する（ステップＳＴ３１）。さらに、制御部２７は認証アプリケーションに基づいてインジケータ２５を点灯する（ステップＳＴ３２）。
【００４４】
一方、課金装置４は、携帯電話２のＩＣチップ２３を検知し（ステップＳＴ４１）、課金の準備を行う（ステップＳＴ４２）。具体的には、店員による入力部４３から課金許可の旨あるいはキャンセルの旨の入力を受け付け、課金許可の旨が入力された場合には、ＩＣチップ２３の電子マネー情報を書き換え、キャンセルの旨が入力された場合には、課金処理を終了する準備を行う。
【００４５】
店員は携帯電話２に表示された顔画像と携帯電話２の所持者の顔とを照合するとともに、インジケータ２５が点灯しているか否かを確認する。ここで、表示された顔画像と携帯電話２の所持者の顔とが一致し、かつインジケータ２５が点灯している場合には、携帯電話２の所持者は正規のユーザである。しかしながら、表示された顔画像と携帯電話２の所持者の顔とが一致しない場合は携帯電話２の所持者は正規のユーザではない。また、表示された顔画像と携帯電話２の所持者の顔が一致していてもインジケータ２５が点灯していない場合には、携帯電話２の所持者が自身の顔を単に表示しているのみであったり、認証アプリケーション以外のアプリケーションにより自身の顔を表示しているものであるため、携帯電話２の所持者は正規のユーザではない。
【００４６】
したがって、店員は、表示された顔画像と携帯電話２の所持者の顔とが一致し、かつインジケータ２５が点灯している場合にのみ入力部４３から課金許可の旨の入力を行い、それ以外の場合にはキャンセルの旨の入力を行う。
【００４７】
課金装置４の制御部４９は入力部４３に入力があったか否かを判定し（ステップＳＴ４３）、課金許可の旨の入力であった場合には課金処理を行う（ステップＳＴ４４）。これにより、携帯電話２のＩＣチップ２３の電子マネー情報は、買い物をした金額が差し引かれたものに書き換えられる。一方、キャンセルの旨の入力であった場合には処理を終了する。
【００４８】
このように、本実施形態においては、携帯電話２の正規のユーザの顔画像を、内部メモリ１９における認証アプリケーションのみがアクセス可能な特定領域に記憶するようにし、課金時には認証アプリケーションにしたがって特定領域に記憶された顔画像を表示するとともに、認証アプリケーションにしたがってインジケータ２５を点灯するようにしたため、店員は表示された顔画像と携帯電話２の所持者の顔とが一致し、かつインジケータ２５が点灯している場合にのみ、携帯電話２の所持者は正規のユーザであると確認することができる。したがって、撮影した顔画像を単に表示したり、認証アプリケーション以外のアプリケーションにより顔画像を表示するのみではインジケータ２５が点灯しないことから、店員は携帯電話２の所持者は正規のユーザではないと確認することができ、その結果、第三者が正規ユーザになりすまして電子マネーを使用してしまうことを防止することができる。
【００４９】
また、携帯電話２から認証サーバ３に顔画像を送信し、認証サーバ３において顔画像が上記（１）から（５）のすべての条件を満たすか否かを判定するようにしたため、認証用の画像として不適切な顔画像が内部メモリ１９の特定領域に記憶されて課金処理時における正規ユーザの確認の際に利用されてしまうことを防止することができる。
【００５０】
また、携帯電話２から認証サーバ３に顔画像を送信し、認証サーバ３において上記（１）および／または（４）の条件を満たさない場合に、顔画像が上記（１）および／または（４）の条件を満たすように顔画像を加工し、加工済み顔画像を携帯電話２に送信するようにしたため、認証用の画像として不適切な画像が内部メモリ１９の特定領域に記憶されて、課金時における正規ユーザの確認の際に利用されてしまうことを防止することができる。
【００５１】
なお、上記実施形態においては、課金時にインジケータ２５を点灯するようにしているが、これに限定されるものではなく、正規ユーザである旨の音声を出力したり、液晶モニタ１３にメッセージを表示する等、認証アプリケーションが作動していることを警報するものであればいかなる態様であってもよい。
【００５２】
また、上記実施形態においては、認証サーバ３に判定部３５および加工部３７を設け、携帯電話２から送信された顔画像が上記（１）から（５）のすべての条件を満たすか否かを判定し、さらに上記（１）および／または（４）の条件を満たさない場合には顔画像を加工しているが、携帯電話２のユーザがにより上記（１）から（５）のすべての条件を満たす顔画像が確実に撮影される場合もあるものである。したがって、携帯電話２から認証サーバ３への顔画像の送信を行うことなく、かつ認証サーバ３に判定部３５および加工部３７を設けることなく、パスワードによる認証のみを認証サーバ３において行うようにしてもよい。この場合、ユーザの認証が許可されると内部メモリ１９に一時的に記憶した顔画像は直ちに特定領域に記憶されることとなる。
【００５３】
また、上記実施形態においては、課金処理が終了するまでユーザは携帯電話２を課金装置４の情報読み書き部４５にかざしている必要があるが、まず携帯電話２を情報読み書き部４５に一度かざして携帯電話２に顔画像の表示およびインジケータ２５の点灯を行い、店員が確認を行った後に、携帯電話２を情報読み書き部４５に再度かざして課金処理を行うようにしてもよい。
【００５４】
また、上記実施形態においては、内部メモリ１９の特定領域に顔画像を記憶しているが、認証アプリケーションのみがアクセス可能なメモリを内部メモリ１９とは別に設け、これに顔画像を記憶するようにしてもよい。
【図面の簡単な説明】
【００５５】
【図１】本発明の実施形態による認証システムの概要を示す図
【図２】携帯電話の構成を示す概略ブロック図
【図３】認証サーバの構成を示す概略ブロック図
【図４】課金装置の構成を示す概略ブロック図
【図５】顔画像登録時に行われる処理を示すフローチャート
【図６】課金処理時に行われる処理を示すフローチャート
【符号の説明】
【００５６】
１    認証システム
２    携帯電話
３    認証サーバ
４    課金装置
１１    撮像部
１３    液晶モニタ
１５，３１    通信部
１７    通話部
１９    内部メモリ
２１，４３    入力部
２３    ＩＣチップ
２５    インジケータ
２７，３９，４９    制御部
３３，４７    メモリ
３５    判定部
３７    加工部
４１    表示部
４５    情報読み書き部
【図１】
2006202014.tif 000003
【図２】
2006202014.tif 000004
【図３】
2006202014.tif 000005
【図４】
2006202014.tif 000006
【図５】
2006202014.tif 000007
【図６】
2006202014.tif 000008